(57)【特許請求の範囲】
【請求項１】
賞球タンクの下流側に配設され賞球の払出を制御する賞球払出機構と、
前記賞球払出機構の下流側に分岐して設けられた排出通路と球抜き通路の分岐位置に配設された手動の排出球抜き切替弁と、
を有するパチンコ遊技機の球抜き装置において、
前記排出球抜き切替弁の切替状態を検知し、該排出球抜き切替弁の切替状態を示す検出信号を出力する切替弁検知手段と、
パチンコ遊技機の電源投入時に、前記排出球抜き切替弁が球抜き側に切り替えられているか否かを、該切替弁検知手段からの検出信号に基づき判定する切替状態判定手段と、
該切替状態判定手段が電源投入時に前記排出球抜き切替弁の球抜き側の切替を判定した時、前記賞球払出機構の作動を停止して球抜きを禁止する球抜き禁止手段と、
を備えたことを特徴とするパチンコ遊技機の球抜き装置。
【請求項２】
前記球抜き禁止手段による球抜きの禁止時にそれを報知する報知手段が設けられたことを特徴とする請求項1記載のパチンコ遊技機の球抜き装置。
【発明の詳細な説明】
【０００１】
【発明の属する技術分野】
この発明は、パチンコ遊技機の賞球の球抜きを良好に行う球抜き装置に関する。
【０００２】
【従来の技術】
従来、パチンコ遊技機の球抜き装置において、賞球タンクの下流側に配設され賞球の払出を制御する賞球払出機構と、前記賞球払出機構の下流側に分岐して設けられた排出通路と球抜き通路の分岐位置に配設された手動切替の排出球抜き切替弁と、を備えた球抜き装置が知られている。
【０００３】
パチンコホールでは、メンテナンスのためや球洗いのために頻繁にパチンコ機の賞球タンクから球抜きを行う必要がある。閉店後、前扉を開け、電源の入っている時に、手動の排出球抜き切替弁を球抜き側に切替ると、球抜き動作が開始され、賞球タンクの下流側に配設され賞球の払出を制御する賞球払出機構が作動し、賞球が賞球払出機構から排出球抜き切替弁を経て球抜き通路を通り、島内に排出される。
【０００４】
【発明が解決しようとする課題】
しかし、従来のパチンコ遊技機の球抜き装置は、手動の排出球抜き切替弁を球抜き側に切替たままで電源をオフにし、それに気づかず次に電源をオンにした場合、賞球払出機構が自動的に球抜き動作を開始してしまう。このため、例えば、閉店後、球抜きをして、排出球抜き切替弁を球抜き側に切替えたまま、パチンコ遊技機の電源を切り、次の朝、パチンコ遊技機に電源を入れた場合、無駄な球抜きが行われ、それがパチンコ遊技機の外側からは確認できないという問題があった。
【０００５】
この発明は、上述の課題を解決するものであり、電源投入時に、排出球抜き切替弁が球抜き側に切替えていた場合は、球抜き動作を開始せずにランプ等で排出球抜き切替弁が球抜き側に切替えられていることを報知することができるパチンコ遊技機の球抜き装置を提供することを目的とする。
【０００６】
【課題を解決するための手段】
本発明の請求項１のパチンコ遊技機の球抜き装置は、賞球タンクの下流側に配設され賞球の払出を制御する賞球払出機構と、賞球払出機構の下流側に分岐して設けられた排出通路と球抜き通路の分岐位置に配設された手動の排出球抜き切替弁と、を有するパチンコ遊技機の球抜き装置において、排出球抜き切替弁の切替状態を検知し、排出球抜き切替弁の切替状態を示す検出信号を出力する切替弁検知手段と、パチンコ遊技機の電源投入時に、排出球抜き切替弁が球抜き側に切り替えられているか否かを、切替弁検知手段からの検出信号に基づき判定する切替状態判定手段と、切替状態判定手段が電源投入時に前記排出球抜き切替弁の球抜き側の切替を判定した時、賞球払出機構の作動を停止して球抜きを禁止する球抜き禁止手段と、を備えたことを特徴とする。また、請求項２の球抜き装置は、上記パチンコ遊技機の球抜き装置において、球抜き禁止手段による球抜きの禁止時にそれを報知する報知手段が設けられたことを特徴とする。
【０００７】
【作用】
パチンコ遊技機の球抜きを行う場合、排出球抜き切替弁を球抜き側に切り替える。すると、賞球払出機構が作動し、賞球タンク内の球が賞球払出機構から切替弁を通り、球抜き通路に送出され、島内に排出される。球抜きをして、排出球抜き切替弁を球抜き側のまま放置し、パチンコ遊技機の電源を切り、次の朝などに、パチンコ遊技機の電源を入れた場合、切替弁検知手段が排出球抜き切替弁の切替状態を検知し、切替状態判定手段がパチンコ遊技機の電源投入時に排出球抜き切替弁が球抜き側に切り替えられていることを切替弁検知手段からの検出信号に基づき判定すると、球抜き禁止手段が賞球払出機構の作動を停止して球抜きを禁止する。同時に、報知手段が球抜き禁止手段による球抜きの禁止中であることを報知する。これにより、パチンコホールの管理者は排出球抜き切替弁が球抜き側となっていることを認識することができ、切替弁を排出側に切り替えることになる。また、この場合、球抜き禁止手段が景品玉払出装置を停止させるため、球抜きが無駄に行われることを防止することができる。
【０００８】
【発明の実施の形態】
以下、本発明の実施の形態を図面に基づいて説明する。図１はパチンコ遊技機の正面図を示し、図２はその背面図を示している。図１において、１はパチンコ機の木枠で、木枠１の前には前面枠２が蝶番を介して開閉可能に装着され、前面枠２の前面にはガラス扉５を開閉可能に設けた金枠が取り付けられ、前面枠２の内側に遊技盤３が着脱可能に取り付けられる。また、図２のように、遊技盤３の背面側に合成樹脂製の機構板４がヒンジを介して回動可能に装着される。
【０００９】
ガラス扉５の下側に、前板７が図示しない発射レールや打球杆を覆うように開閉可能に装着され、前板７の前面には打球供給皿６が設けられる。更に、前面枠２の下部に、打球発射装置の一部を構成する打球発射ハンドル１３が設けられると共に、打球供給皿６で貯留できなくなった賞球を貯留する下皿８が設けられる。
【００１０】
遊技盤３の前面には、中央に、例えば３列の図柄を順に上下に移動（回動）させながら表示する図柄可変表示器１０が配設される。更に、図柄可変表示器１０の下側に始動入賞口９が配設され、その両側に通常入賞口１２が配設され、始動入賞口９の下側に、大入賞口１１がその扉を開閉可能に設けられる。図柄可変表示器１０は、打ち出した球が始動入賞口９に入った時、３列の図柄が順に移動（回動）表示され、予め設定された図柄が揃って停止した時、大入賞口１１が開き、球を入り易くする。また、前面枠２の上部には、電源投入時に、球抜き動作が自動的に開始されてしまった際、それを報知するための警報ランプ２４が設けられる。
【００１１】
図２の背面図に示すように、遊技盤３の背面側に装着した機構板４の上部に、賞球を貯留する賞球タンク１５が設けられ、賞球タンク１５の下側に、タンクレール１６が接続され、タンクレール１６の流下端に略Ｓ字状の誘導レール１７が接続され、誘導レール１７の下に賞球払出機構１８が取り付けられる。賞球払出機構１８は、図３に示すように、誘導レール１７に連通する球通路１９に、ロータ１８ａをモータ１８ｂにより回転駆動可能に配設すると共に、賞球の通過を検出する球検出器１８ｃを設けて構成される。
【００１２】
賞球払出機構１８の球通路１９は、ここでは前後２列に形成され、両方の球通路１９内に回転位置を１８０度ずらした２個のロータ１８ａが配設され、モータ１８ｂの軸に軸着される。各ロータ１８ａはその半回転時に１個の賞球を送り得る形状に形成され、モータ１８ｂの回転駆動により、指令された数の賞球を下方に払い出すことができる。ロータ１８ａの停止時には賞球の送出は停止する。賞球払出機構１８を通過する賞球の通過数は、賞球を磁気的或は光学的に検出する球検出器１８ｃから出力される検出信号を図示しないカウンタで計数することによりカウントされる。
【００１３】
図４は球抜き装置の本体部２０の分解斜視図を示している。この本体部２０は合成樹脂により形成され、賞球払出機構１８の球通路の下端が本体部２０の上部球通路に接続され、その球通路は本体部２０内で排出通路２１ａと球抜き通路２１ｂに分岐され、その分岐箇所にレバー状の排出・球抜き切替弁２２が手動で切替操作可能に設けられる。排出・球抜き切替弁２２には把手２２ａが設けられ、この把手２２ａを図５ｂのように右側に引くと、切替弁２２の上部が左側に回動し、球通路を球抜き通路２１ｂ側に連通させように、通路を切り替える。
【００１４】
一方、把手２２ａを図５ａのように左側に動かすと、切替弁２２の上部が右側に回動し、球通路を排出通路２１ａ側に連通させる。更に、この排出・球抜き切替弁２２には排出・球抜き動作検知手段としてマイクロスイッチ等の検知スイッチ２３が配設され、切替弁２２の回動操作に応じてオンオフ動作し、切替弁２２の切替操作を検知して、その検知信号を出力する。排出通路２１ａ内には賞球が当って音を発するベル２１ｃが設けられる。
【００１５】
図６は遊技機における賞球の制御を行う賞球制御部３０のブロック図を示している。この賞球制御部３０はマイクロコンピュータを主要部として構成され、賞球払出装置１８の制御や球抜き装置の制御を実行するＣＰＵ、制御プログラムを格納する固定メモリのＲＯＭ、一時メモリのＲＡＭ，入出力回路等を備えている。上記賞球払出装置１８のモータ１８ｂ及び警報ランプ２４がドライバを介して賞球制御部３０の入出力回路に接続され、賞球払出装置１８の球検知器１８ｃ及び切替弁２２の検知スイッチ２３が入出力回路に接続される。賞球制御部３０には、図示は省略されているが、下皿８の満タン状態を検出する下皿満タンスイッチ、入賞球の流下を検出する入賞球検出スイッチ、賞球タンク１５の下部に設けられた球量スイッチ、入賞球の排出を行う入賞球排出ソレノイドなどが接続される。
【００１６】
パチンコ遊技機の保守管理等を行うために、賞球の球抜きを行う場合、前面枠２を開き、図５ｂのように排出球抜き切替弁２２を手動により球抜き側に切替、前面枠２を閉じる。この時、切替弁２２が排出通路２１ａを閉じて球抜き通路２１ｂ側を開くように切り替えられ、この切替動作が検知スイッチ２３によって検知され、その検知信号が賞球制御部３０に送られる。
【００１７】
賞球制御部３０はこの検知信号を入力すると、所定の遅延時間後に、賞球払出機構１８のモータ１８ｂを起動し、そのロータ１８ａを回転駆動する。これにより、賞球タンク１５内に貯留していた賞球が、タンクレール１６、誘導レール１７を経て賞球払出装置１８内を通過し、そして賞球は、球通路の分岐箇所で切替弁２２の切替にしたがって球抜き通路２１ｂ側に入り、そこを通過して集合樋１９の排出口から島内へ排出される。
【００１８】
通常、賞球タンク１５内に残留する賞球は数分程度で球抜きを完了し、その後、図５ａのように排出球抜き切替弁２２を再び手動で排出側に戻し、そして、パチンコ遊技機の電源をオフし、その日の仕事を終了する。しかし、翌日等に、パチンコ遊技機を使用する際、電源投入時に、排出球抜き切替弁２２の切替忘れがあって、排出球抜き切替弁２２が球抜き側に切り替えられている場合、電源投入時に賞球の球抜きが再び行われる可能性がある。しかし、以下のような動作により電源投入時の球抜きは回避され、排出球抜き切替弁２２の切替忘れによる無駄な球抜きは行われない。
【００１９】
即ち、図７のフローチャートに示すように、先ずステップ１００にて、電源投入時であると判断すると、次のステップ１１０で、排出球抜き切替弁２２が球抜き側に切替られているか否かを判断する。切替弁２２の検出スイッチ２３からの検知信号に基づき、切替弁２２が球抜き側に切り替えられている場合、次にステップ１２０に進み、賞球払出機構１８の動作つまりモータ１８ｂによるロータ１８ａの回転を停止させる。更にステップ１３０で、警報ランプ２４を点滅させ、切替弁２２が球抜き側になっていることを報知する。
【００２０】
これにより、パチンコホールの管理者は、切替弁２２が球抜き状態となっていることを認識することができ、無駄な球抜きを回避することができる。
【００２１】
次に、ステップ１４０にて、排出球抜き切替弁２２が排出側に切替られたか否かを判定する。ここで、切替弁２２が球抜き状態となっていることに気付いた管理者がパチンコ遊技機の前面枠２を開き、切替弁２２を排出側に切り替えると、次に、ステップ１５０に進み、パチンコ遊技機の通常の動作を開始し、次のステップ１６０で、警報ランプ２４を消灯させる。
【００２２】
このように、排出球抜き切替弁２２の球抜き状態から排出状態への切替を忘れていた場合であっても、切替弁２２を排出側に切り替え、通常のパチンコ遊技機の動作を開始させることができる。
【００２３】
【発明の効果】
本発明のパチンコ遊技機の球抜き装置は、上記のように構成したことにより、パチンコ遊技機の電源投入時に球抜き切替弁が球抜き側になっていた場合、賞球払出機構を停止し、そのまま無駄な球抜きを行うことはなく、球抜き切替弁が球抜き側になっていることを警報ランプの点滅でパチンコホールの管理者に知らせることができる。
【図面の簡単な説明】
【図１】本発明の一実施形態を示すパチンコ遊技機の正面図である。
【図２】同パチンコ遊技機の背面図である。
【図３】賞球払出装置の斜視図である。
【図４】球抜き装置の本体部の分解斜視図である。
【図５】（ａ）は排出球抜き切替弁を排出側に切り替えた時の、（ｂ）は同切替弁を球抜き側のに切り替えた時の拡大図である。
【図６】賞球制御部のブロック図である。
【図７】球抜き装置の動作を示すフローチャートである。
【符号の説明】
１８…賞球払出機構
２３…検知スイッチ
２４…警報ランプ
３０…賞球制御部
【図１】
0003877896.tif 000002
【図２】
0003877896.tif 000003
【図３】
0003877896.tif 000004
【図４】
0003877896.tif 000005
【図５】
0003877896.tif 000006
【図６】
0003877896.tif 000007
【図７】
0003877896.tif 000008